(57)【要約】      （修正有）【課題】軽量な義足用ソールを提供する。【解決手段】義足用ソールは、義足の路面との接地域に装着するソールであって、部分Ｑ２−２、部分Ｑ１−１及び部分Ｑ１−２における、陸部１０、１１、１２及び１４以外の領域、つまり溝部に貫通孔９を有する。ソールが貫通孔９を有することにより、ソールを軽量化することができる。また、ソールは、陸部１０、１１、１２及び１４以外の領域に貫通孔９を有することにより、陸部１０、１１、１２及び１４による排水性能等の効果を維持しつつ、軽量化することができる。【選択図】図４
2020010998.tif 000002
【特許請求の範囲】
【請求項１】
義足の路面との接地域に装着するソールであって、
少なくとも一部の領域に貫通孔を有する、
義足用ソール。
【請求項２】
底面側に溝部で区画された陸部を有し、前記溝部に前記貫通孔を有する、請求項１に記載の義足用ソール。
【請求項３】
義足の路面との接地域に装着するソールであって、
複数のソール部分に分断されている、
義足用ソール。
【請求項４】
クッション材を介して前記義足に装着される、請求項１乃至３のいずれか一項に記載の義足用ソール。
【発明の詳細な説明】
【技術分野】
【０００１】
この発明は、義足の接地域に装着されるソールに関する。
【背景技術】
【０００２】
従来、湾曲部を有して爪先側へ延びる板ばね状の足部を有し、接地域が爪先から湾曲部側に弧状に延在する、競技用の義足（以下、競技用義足又は単に義足ともいう）が知られている。このような板ばね状の足部を有する競技用義足には、接地域の底面に、路面と当接するソールが取付けられるのが一般的である。
【０００３】
例えば、特許文献１には、湾曲した板ばね状の競技用義足の下面に取り付けられた、競技種目に応じたソールが例示されている。具体的には、特許文献１には、路面に接地するソールの下面に、スパイクが取り付けられたソールや、各々が六角形状の接地面を有する多数のアウトソール部が設けられたソールが記載されている。
【先行技術文献】
【特許文献】
【０００４】
【特許文献１】特開２０１６−１５０１８９号公報
【発明の概要】
【発明が解決しようとする課題】
【０００５】
しかしながら、特許文献１に例示されているソールでは、義足のソールの軽量化については何ら考慮されていない。例えば、義足を装着して競技を行う場合、義足のソールが軽量であるほど、競技者への負担が小さくなりうる。
【０００６】
そこで、本発明の目的は、軽量な義足用ソールを提供することにある。
【課題を解決するための手段】
【０００７】
本発明の要旨は、以下のとおりである。
（１）義足の路面との接地域に装着するソールであって、少なくとも一部の領域に貫通孔を有する、義足用ソール。
【０００８】
（２）底面側に溝部で区画された陸部を有し、前記溝部に前記貫通孔を有する、（１）に記載の義足用ソール。
【０００９】
（３）義足の路面との接地域に装着するソールであって、複数のソール部分に分断されている、義足用ソール。
【００１０】
（４）クッション材を介して前記義足に装着される、（１）〜（３）のいずれか一項に記載の義足用ソール。
【発明の効果】
【００１１】
本発明の義足用ソールによれば、軽量な義足用ソールを提供することができる。
【図面の簡単な説明】
【００１２】
【図１】本発明の第１実施形態に係るソールが装着された競技用義足の側面図である。
【図２Ａ】競技用義足が着用され、着用者が直進走行を行った場合における、足部の動作と接地形態を段階的に説明するための側面図である。
【図２Ｂ】競技用義足が着用され、着用者が直進走行を行った場合における、足部の動作と接地形態を段階的に説明するための側面図である。
【図２Ｃ】競技用義足が着用され、着用者が直進走行を行った場合における、足部の動作と接地形態を段階的に説明するための側面図である。
【図２Ｄ】競技用義足が着用され、着用者が直進走行を行った場合における、足部の動作と接地形態を段階的に説明するための側面図である。
【図３】ソールの底面の各領域について説明するための図である。
【図４】ソールの底面のパターンの一例を示す図である。
【図５Ａ】接地部に装着される前のソール及び貼付代部を示す斜視図である。
【図５Ｂ】爪先側貼付代部とソールとの境界近傍の厚みを説明するための図である。
【図５Ｃ】湾曲部側貼付代部とソールとの境界を含む近傍を示す拡大断面図である。
【図６】本発明の第２実施形態に係るソールの底面のパターンの一例を示す図である。
【図７Ａ】接地部に装着される前のソール及び保持フィルムを示す模式図である。
【図７Ｂ】図７Ａに示すソールを、接地部に接着した状態を示す模式図である
【図８】ソールと接地域との間にクッション材が介在する場合の例を示す模式図である。
【発明を実施するための形態】
【００１３】
以下、図面を参照しながら本発明の競技用義足のソール（以下、ソールとも称する）を、その実施形態を例示して詳細に説明する。
【００１４】
図１は、本発明の第１実施形態に係るソール５が装着された競技用義足１の側面図である。競技用義足１は、板ばね状の足部２を有し、その先端側の接地域にソール５が装着される。なお、図示は省略しているが、足部２の基端部は、アダプタを介してソケットに接続され、ソケットに着用者の足の断端を収容することによって、着用者が義足を着用することができる。アダプタ及びソケットは、大腿義足、下腿義足等、足の断端位置に応じたものが用いられる。図１は、競技用義足１を着用した着用者の直立状態における足部２及びソール５を示している。
【００１５】
以下、本実施形態では、競技用義足の高さ方向において、足部２がアダプタと接続される側を接続側といい、路面Ｓと接地する側を接地側という。また、競技用義足１の爪先Ｔとは、足部２が接続側から延びて終端する最先の点及び競技用義足１の爪先Ｔと同一面を構成するように競技用義足１に装着されたソール５の最先の点を指す。さらに、爪先Ｔから路面Ｓに平行に延在する方向を、足部前後方向Ｙという。さらに、足部２、及び競技用義足の足部２に装着された状態のソール５の幅方向にわたる向きを、幅方向Ｗという。
【００１６】
本実施形態において、競技用義足１の足部２は、少なくとも１の湾曲部、図示例では１の湾曲部３を介して、接続側から爪先Ｔ側へ板状に延びる形状を有している。図１では、足部２は、接続側から接地側へ順に、直線部２ａ、爪先Ｔ側へ凸の曲線部２ｂ、足部前後方向Ｙの後側へ凸の湾曲部３、接地側に凹の曲線部２ｃ及び接地側に凸となる弧状に爪先Ｔ側に延びる接地部４からなる。
【００１７】
なお、足部２の材質は限定されないが、強度及び軽量化の観点から、炭素繊維強化プラスチック等を用いることが好適である。
【００１８】
接地部４は、接地側に、爪先Ｔから湾曲部３側へ弧状に延在する接地域４ｓを有し、この接地域４ｓにソール５が装着されている。接地域４ｓは、競技用義足１を着用した着用者が走行動作を行った際に、路面Ｓと当接する全領域を指し、ソール５が装着された状態では、接地域４ｓは、ソール５を介して路面Ｓと当接する。
【００１９】
ソール５は、接地域４ｓの延在形状に従う形状を有している。また、ソール５の接地側が、底面５ｓである。図１に示すとおり、底面５ｓは、爪先Ｔ側から湾曲部３側へ、弧Ｘ１及びＸ２が連なる形状を有している。本実施形態では、弧Ｘ１と弧Ｘ２とは、互いに異なる曲率半径を有しているが、同じ曲率半径を有していてもよい。
【００２０】
また、底面５ｓは、ソール５が装着された競技用義足１が着用され、着用者の直立状態における、側面視における路面Ｓとの接点である点Ｃを通って、幅方向Ｗに延びる線を境界とする一方側と他方側で、異なる性能を備えている。点Ｃは、直立に至る際に最初に路面Ｓと接触する点である。即ち、直立状態とは、着用者が、一方のみが義足の場合は義足を着用しない健常足で、両方が義足の場合は一方の義足で体を支えた状態から、競技用義足１を路面Ｓに降ろして最初に路面Ｓと接触した状態を指す。なお、点Ｃは義足の形状や装着態様等によって決定される。即ち、発明者らは、後述する実験により得られた接地形態に関する知見による底面５ｓの機能分離するための境界は、着用者の直立状態における路面Ｓとの接点である点Ｃが基準となることに新たに想到した。
【００２１】
ここで、上述した、底面５ｓの接地形態の実験結果について、図２Ａ、図２Ｂ、図２Ｃ及び図２Ｄを用いて説明する。図２Ａ、図２Ｂ、図２Ｃ及び図２Ｄは、上記の構成を有する競技用義足１を着用した着用者が直進走行を行った場合における、足部２の動作と底面５ｓの接地形態を段階的に説明するための図である。各図面の上部は、足部２及びソール５の側面図であり、各図面の下部は、競技用義足１を着用した着用者が直進走行動作を行った際の、底面５ｓの接地形態の変遷を示している。
【００２２】
図２Ａは、着用者が持ち上げた競技用義足１を路面Ｓに降ろし、全体重が競技用義足１に負荷された状態を示している。図面の下部に示すとおり、底面５ｓの、点Ｃよりも湾曲部３側の領域が接地している。
【００２３】
図２Ｂは、図２Ａの状態から、着用者が全体重を競技用義足１に負荷したままで、地面を踏み込んだ状態を示している。健常者の走行の場合、最初に靴裏の踵側が設置し、その後爪先側に向けて順に接地していくという踏み込み形態が一般的であるが、競技用義足１は、最初に接地した領域よりも湾曲部３側に接地領域が移動する。
【００２４】
図２Ｃは、着用者が、競技用義足１を着用した側と反対の足を前方に振り出し、競技用義足１の蹴り出し動作を開始した状態を示している。この蹴り出し動作に入ると、競技用義足１は、底面５ｓの、点Ｃよりも爪先Ｔ側の領域が接地している。
【００２５】
図２Ｄは、着用者が競技用義足１を蹴り出す最終段階の、路面Ｓから離れる直前の状態を示している。底面５ｓの爪先Ｔから蹴り出すために、図２Ｃよりもさらに爪先Ｔ側で接地している。このとき、義足の接地領域から路面Ｓにかかる接地圧に応じて、板ばねの反力が働き、当該反力により推進力が生み出される。
【００２６】
上記図２Ａ、図２Ｂ、図２Ｃ及び図２Ｄに示す実験結果を踏まえ、図３に示すように、まず、底面５ｓを点Ｃを境界とする踵側領域Ｑ１と爪先側領域Ｑ２とに分割した。
【００２７】
踵側領域Ｑ１は、図３に示す底面５ｓ視において、点Ｃを通って足部２の幅方向Ｗに延びる線ＢＬを境界とする、湾曲部３側の領域である。踵側領域Ｑ１は、上記図２Ａ及び図２Ｂに示したとおり、着用者が最初に着地し、全体重が競技用義足１に負荷された状態で踏み込み動作を行っている領域である。従って、着用者が競技用義足１に全体重を負荷しても体全体のバランスが保たれるように、踵側領域Ｑ１が路面Ｓと十分にグリップすることが肝要である。よって、踵側領域Ｑ１は、底面５ｓと路面Ｓとの間に介在する水膜によるスリップを防止するため、排水性能を踵側領域Ｑ１以外、即ち爪先側領域Ｑ２よりも高める必要がある。
【００２８】
即ち、踵側領域Ｑ１が、踵側領域Ｑ１以外と比べて高い排水性能を備えることによって、競技用義足１のソール５は、水膜によるスリップを防止し、高い防滑性能を実現することができる。
【００２９】
一方、爪先側領域Ｑ２は、図３における底面５ｓ視において、点Ｃを通って足部２の幅方向Ｗに延びる線ＢＬを境界とする、爪先Ｔ側の領域である。爪先側領域Ｑ２は、着用者が、競技用義足１を着用した側と反対の足を前方に振り出し、競技用義足１の蹴り出し動作を行うための領域である。爪先側領域Ｑ２は、爪先Ｔに向けて順に接地し、着用者が底面５ｓで路面Ｓを押して滑らせるように接地していくため、特に摩耗が進展しやすい領域である。よって、爪先側領域Ｑ２は、耐摩耗性能を踵側領域Ｑ１よりも高める必要がある。
【００３０】
即ち、爪先側領域Ｑ２が、踵側領域Ｑ１以外と比べて高い耐摩耗性能を備えることによって、爪先側領域Ｑ２の早期摩耗が回避される結果、競技用義足１のソール５の全面が緩やかに摩耗することとなり、ソール５の使用寿命の長期化を実現することができる。
【００３１】
また、踵側領域Ｑ１及び爪先側領域Ｑ２の各々を、図２Ａ〜図２Ｄに示した接地形態に基づいて、図３に示すようにさらに分割して、各部分が接地形態に応じた特性を備えることが好適である。
【００３２】
図３に示す爪先側領域Ｑ２のうち、部分Ｑ２−１は、図１における、爪先Ｔから一定の曲率半径で連続する弧Ｘ１に対応する。この部分Ｑ２−１は、競技用義足１を着用した着用者が、蹴り出し動作を行う際に、最後に接地して、より激しい摩耗が発生する傾向があった。よって、部分Ｑ２−１では、特に高い耐摩耗性能を備える必要がある。即ち、爪先側領域Ｑ２において、部分Ｑ２−１は、残りの部分Ｑ２−２よりも高い耐摩耗性能を備えることによって、激しい摩耗からソール５を保護し、ソール５の使用寿命を長期化することができる。
【００３３】
上記の踵側領域Ｑ１において、足部前後方向Ｙに沿う最大長さＬ１の中心Ｍ１よりも爪先Ｔ側の部分Ｑ１−１は、最初に着地する領域であり、着用者が体のバランスを取るために、特にスリップを防止することが必要である。よって、踵側領域Ｑ１の他の部分Ｑ１−２よりもさらに高い排水性能を備えることによって、より確実にスリップを防止し、さらに安定した走行を実現することが好ましい。
【００３４】
また、部分Ｑ１−２は、最大長さＬ１の中心Ｍ１よりも湾曲部３側の部分である。踵側領域Ｑ１においては、図２Ｂに示したように、最初に接地した部分Ｑ１−１よりも湾曲部３側、即ち着用者が進む向きとは反対側の部分Ｑ１−２に接地部分が変遷している。部分Ｑ１−２の接地時には、着用者が前に進もうとする上半身の動きと、接地部分の動きとが一時的に逆になっており、接地形態の後半の蹴り出し動作に向けて、高い推進力が必要となる。そこで、まず、部分Ｑ１−２については、部分Ｑ１−１よりも高い剛性を備えることが肝要である。部分Ｑ１−２において、部分Ｑ１−１よりも高い剛性を備えることによって、踏み込み動作を蹴り出し動作にスムーズに繋げ、高い推進力を実現することができる。
【００３５】
特に、底面５ｓが複数の凹凸からなるパターンを有する場合、部分Ｑ１−２は、部分Ｑ１−１よりも足部２の幅方向Ｗにおけるエッジ成分を大きくすることが好ましい。また、ネガティブ比率については、部分Ｑ１−２は、部分Ｑ１−１よりも小さいことが好適である。ここで、ネガティブ比率とは、底面５ｓの平面視での総面積中における、路面Ｓに対して凹となる部分の平面視での面積の割合を指す。上記構成により、走行時に高い推進力を発揮させることができる。
【００３６】
また、効果的に推進力を発揮させるため、部分Ｑ１−２は、爪先側領域Ｑ２よりも、足部２の幅方向Ｗにおけるエッジ成分が小さいことが好ましい。さらに、部分Ｑ１−２は、爪先側領域Ｑ２よりもネガティブ比率が大きいことが好適である。上記構成によれば、部分Ｑ１−２は、着用者が蹴り出し動作を行う際に、高い推進力を発揮させることができる。
【００３７】
上述の底面５ｓの各部分に付与する、上記した特性を実現するための具体的手段には、例えば、底面５ｓに形成された溝等による、凹凸からなるパターンを工夫すること、底面５ｓの表面性状を工夫すること、ソール５の断面形状を工夫すること及びソール５の材質を工夫すること、等がある。
【００３８】
ここで、底面５ｓの凹凸からなるパターンの工夫によって各機能を付与する場合について説明する。図４は、競技用義足１におけるソール５の、底面５ｓのパターンの一例を示す図である。
【００３９】
図４に示すパターンでは、踵側領域Ｑ１に、幅方向Ｗに延びる複数の溝によって区画される、陸部１０及び陸部１１が複数配置されている。陸部１０は、陸部１１よりも爪先Ｔ側に配置されている。陸部１０は、幅方向Ｗに略ジグザグ状に延びる幅方向延在部１０ａと、爪先Ｔ側に凸となる向きに屈曲する屈曲部から爪先Ｔ側に延びる爪先側突出部１０ｂと、湾曲部３側に凸となる向きに屈曲する屈曲部から湾曲部３側に延びる湾曲部側突出部１０ｃとを含む形状である。陸部１１は、幅方向延在部１１ａと、爪先側突出部１１ｂと、湾曲部側突出部１１ｃとを含む形状である。幅方向延在部１０ａ及び１１ａをジグザグ状の形状とすることによって、エッジ成分を十分に確保することができる。さらに、爪先側突出部１０ｂ及び１１ｂと、湾曲部側突出部１０ｃ及び１１ｂとを形成することによって、エッジ成分をさらに増加し、接地域延在方向両側で効果的に底面５ｓと路面Ｓとの間に存在する水膜を切ることができ、高い排水性能を実現することができる。
【００４０】
また、図４では、爪先側領域Ｑ２に、幅方向Ｗに延びる複数の溝によって区画される、陸部１２が複数配置されている。陸部１２は、幅方向Ｗへ略ジグザグ状に延びる幅方向延在部１２ａと、爪先Ｔ側に凸となる向きに屈曲する屈曲部から、幅方向延在部１２ａの延在する向きに凸となるように延びる爪先側突出部１２ｂと、湾曲部３側の凸となる向きに屈曲する屈曲部から、幅方向延在部１２ａの延在する向きに凸となるように延びる湾曲部側突出部１２ｃとを含む形状である。さらに、爪先側領域Ｑ２には、幅方向Ｗに延びるジグザグ形状に沿って、断続して延びる複数の直線溝１３が形成されている。陸部１２は、直線溝１３よりも湾曲部３側に配置され、直線溝１３は、陸部１２よりも爪先Ｔ側に形成されている。なお、図に示すとおり、爪先側領域Ｑ２には、陸部１１と同形状を有する陸部１４が形成されていてもよい。
【００４１】
図４では、陸部１０の幅方向延在部１０ａの陸部幅ｗ２よりも、陸部１１の幅方向延在部１１ａの陸部幅ｗ３が大きい。また、陸部１２の幅方向延在部１２ａの陸部幅ｗ４は、陸部幅ｗ２及びｗ３よりも大きい。図４から理解されるように、陸部１０、１１、１２及び１４のそれぞれは、溝部により区画されている。
【００４２】
上記構成では、踵側領域Ｑ１は、底面５ｓの平面視での総面積中における、路面Ｓに対して凹となる溝部分の平面視での面積の割合、即ちネガティブ比率が、爪先側領域Ｑ２よりも大きい。よって、踵側領域Ｑ１では、より多くの水分を凹溝内に取り込み、排出することが可能となる。よって、踵側領域Ｑ１は、爪先側領域Ｑ２よりも高い排水性能を備えている。
【００４３】
一方、爪先側領域Ｑ２は、踵側領域Ｑ１よりも高い耐摩耗性能を備えている。なぜなら、爪先側領域Ｑ２は、踵側領域Ｑ１よりもネガティブ比率が小さく、高い剛性が維持されている。
【００４４】
なお、爪先側領域Ｑ２において、部分Ｑ２−１には、直線溝１３が形成されている。この構成によれば、接地部分Ｑ２−１は、爪先側領域Ｑ２の残りの部分Ｑ２−２よりも剛性が大きく、さらに高い耐摩耗性能を備える。
【００４５】
また、図４では、踵側領域Ｑ１において、部分Ｑ１−１のネガティブ比率は、部分Ｑ１−２よりも大きく、より多くの水分を溝内に取り込み、排出することができる。即ち、部分Ｑ１−１は、部分Ｑ１−２よりも、さらに高い排水性能を備える。
【００４６】
さらに、踵側領域Ｑ１において、部分Ｑ１−２には、陸部１１が配置されており、上述のとおり、陸部１１の陸部幅ｗ３は、陸部１０の陸部幅ｗ２よりも大きい。よって、部分Ｑ１−２は、部分Ｑ１−１よりも大きい陸部剛性を有する。さらに、部分Ｑ１−２は、Ｑ１−１よりも、幅方向Ｗにおけるエッジ成分が大きくなる。また、上述のとおり、部分Ｑ１−２のネガティブ比率は、部分Ｑ１−１よりも小さくなる。
【００４７】
また、部分Ｑ１−２は、爪先側領域Ｑ２よりも、幅方向Ｗにおけるエッジ成分が小さく、さらに、ネガティブ比率は大きい。
【００４８】
本実施形態において、ソール５は、少なくとも一部の領域に貫通孔９を有する。従って、競技用義足１の接地域４ｓへの装着状態において、接地域４ｓの少なくとも一部の領域が露出する。本実施形態では、ソール５は競技用義足１の接地域４ｓに装着される。
【００４９】
例えば、ソール５は、図４に示すように、一部の領域において貫通孔９を有する。図４では、ソール５の貫通孔９は、斜線の領域により示されている。即ち、図４における斜線の領域では、ソール５の底面５ｓ側において、競技用義足１の接地域４ｓが露出している。
【００５０】
図４に示す例では、ソール５は、部分Ｑ２−２、部分Ｑ１−１及び部分Ｑ１−２における、陸部１０、１１、１２及び１４以外の領域、つまり溝部に貫通孔９を有する。このように、ソール５が貫通孔９を有することにより、貫通孔９を有さない場合と比較して、ソール５を軽量化することができる。また、ソール５は、陸部１０、１１、１２及び１４以外の領域に貫通孔９を有することにより、陸部１０、１１、１２及び１４による効果、例えば排水性能等の効果を維持しつつ、軽量化を実現することができる。なお、ソール５における貫通孔９のパターンは、図４に示すものに限られない。ソール５は、部分Ｑ２−２、部分Ｑ１−１及び部分Ｑ１−２の陸部１０、１１、１２及び１４以外の任意の領域において、任意のパターンの貫通孔９を有していてよい。
【００５１】
図４に示す例では、ソール５の部分Ｑ２−１は、貫通孔９を有さない。この場合、ソール５の部分Ｑ２−１における耐摩耗性が維持される。ただし、ソール５は、部分Ｑ２−１に貫通孔９を有してもよい。この場合、ソール５のさらなる軽量化が実現される。
【００５２】
本実施形態に係る競技用義足１において、ソール５は、接地域４ｓに接着剤を介して装着されていてよい。ただし、装着手段は接着剤に限られず、ベルト等の締結具を用いて装着されてもよい。
【００５３】
ここで、本実施形態に係るソール５の装着手段の一例について、図５Ａ、図５Ｂ及び図５Ｃを用いて説明する。図５Ａは、接地部４に装着される前のソール５及び貼付代部を示す斜視図である。なお、図５Ａでは、底面５ｓのパターン及び開口９の図示は省略している。図示するように、爪先側貼付代部６及び湾曲部側貼付代部７が、ソール５と一体的に結合している。爪先側貼付代部６は、ソール５の爪先Ｔ側の端縁に沿って結合され、扇状の形状を有しており、２つの切り込み８ａ及び８ｂによって分割されている。また、湾曲部側貼付代部７は、ソール５の湾曲部３側の端縁に結合されている。図５Ｂは、爪先側貼付代部６とソール５との境界を含む近傍の厚みを説明するための図である。また、図５Ｃは、湾曲部側貼付代部７とソール５との境界を含む近傍の厚みを示すための図である。図５Ｂに示すとおり、爪先側貼付代部６は、爪先側貼付代部６は、ソール５の厚みｔｈ１よりも薄い一定の厚みｔｈ２で延び、ソール５との境界Ｂ１に向かって厚みが漸増している。また、湾曲部側貼付代部７は、ソール５の厚みｔｈ１よりも薄い厚みｔｈ３で延び、ソール５との境界Ｂ２に向かって厚みが漸増している。上記構成によれば、ソール５を接地部４に装着する際に、ソール５と接地部４との間に撓みや間隙を形成することなく、密接して装着することができる。例えば、ソール５の厚みｔｈ１を２．２５〜３．０ｍｍとするとき、爪先側貼付代部６の厚みｔｈ２及び湾曲部側貼付代部７の厚みｔｈ３を、１．５〜２．０ｍｍとすることができる。なお、図５Ａ、図５Ｂ及び図５Ｃを参照して説明した貼付代部は、第１実施形態に係るソール５の一部を構成するものではなく、ソール５の装着に用いられるものであると理解されたい。
【００５４】
図６は、本発明の第２実施形態に係るソール５の底面のパターンの一例を示す図である。以下、第２実施形態について、第１実施形態と共通の内容については適宜説明を省略し、第１実施形態と異なる点を中心に、説明する。
【００５５】
本実施形態において、ソール５は、複数のソール部分に分断されている。本実施形態において、ソール５は、それぞれ独立（分離）した陸部１０、１１、１２及び１４により構成されている。即ち、本時視形態において、ソール５を構成する複数のソール部分は、それぞれ独立（分離）した陸部１０、１１、１２及び１４である。競技用義足１の接地域４ｓへの装着状態において、複数のソール部分が装着される領域以外の領域が、ソール５の底面５ｓ側において露出する。従って、本実施形態では、第１実施形態と異なり、陸部１０、１１、１２及び１４を除く領域の全体が、ソール５の底面側において露出している。図６に示す例では、本実施形態において、斜線の領域露出している。言い換えると、本実施形態では、競技用義足１の接地域４ｓは、陸部１０、１１、１２及び１４の領域においてのみ覆われている。
【００５６】
上記説明及び図６から理解されるように、本実施形態において、それぞれの陸部１０、１１、１２及び１４は、第１実施形態と異なり、互いに連結されていない。
【００５７】
本実施形態のように、陸部１０、１１、１２及び１４を除く領域の全体が、ソール５の底面側において露出している場合も、ソール５の軽量化を実現できる。また、ソール５は、陸部１０、１１、１２及び１４により構成されるため、陸部１０、１１、１２及び１４による効果、例えば排水性能等の効果を維持しつつ、軽量化を実現することができる。
【００５８】
本実施形態において、例えばソール５の部分Ｑ２−１については、露出されていなくてもよい。例えば、部分Ｑ２−１の領域については、接地域４ｓは、ソール５で覆われていてよい。これにより、ソール５の部分Ｑ２−１における耐摩耗性が維持される。
【００５９】
ここで、本実施形態に係るソール５の装着方法の一例について、図７Ａ及び図７Ｂを用いて説明する。図７Ａは、接地部４に装着される前のソール５及び保持フィルム２０を示す模式図である。図７Ａは、接地部４及びソール５の側面視における状態を示す。図７Ａに示すように、ソール５を構成する陸部は、ソール５が接地部４に装着される前の状態において、保持フィルム２０に保持される。ソール５を構成する陸部は、例えば保持フィルム２０に貼付されている。ソール５の接着面Ｆには、接着剤が塗布される。
【００６０】
図７Ｂは、図７Ａに示すソール５を、接地部４に接着した状態を示す模式図である。図７ｂも、接地部４及びソール５の側面視における状態を示す。ソール５は、図７Ａの矢印に示すように、接着剤により接地部４に接着される。このとき、ソール５を保持する保持フィルム２０ごと、接地部４に接着されてよい。即ち、図７Ｂに示すように、保持フィルム２０も、ソール５とともに接地部４に接着されてよい。保持フィルム２０は、図７Ｂに示すようにソール５の接着面Ｆ以外の面を覆った状態で接地部４に密着できるように、伸縮性を有する材料で構成されていてよい。また、ソール５を接地部４に接着させる際に、ソール５と接地部４との間の真空引きを行う場合には、保持フィルム２０は、空気を通さない材料で構成されていてよい。図７Ｂに示すように、保持フィルム２０がソール５とともに接地部４に接着される場合、着用者が当該ソール５が接着された競技用義足１の使用を開始する際に、ソール５の陸部ではなく、保持フィルム２０が路面Ｓと接触する。この場合、保持フィルム２０が摩耗しやすい材料で構成されていることが好ましい。保持フィルム２０が摩耗しやすい材料で構成されていることにより、着用者による競技用義足１の使用開始後に、より早く保持フィルム２０が摩耗する。これにより、本来意図したソール５の陸部と路面Ｓとの接触が実現される。なお、図７Ａ及び図７Ｂを参照して説明した保持フィルム２０は、第２実施形態に係るソール５の一部を構成するものではなく、ソール５の装着に用いられるものであると理解されたい。
【００６１】
なお、上記説明では、ソール５の接着面Ｆに接着剤が塗布され、接着剤によりソール５が接着されると説明した。しかしながら、接着は、必ずしも接着剤により行われなくてもよい。例えば、ソール５が熱で溶ける材料で構成されている場合には、ソール５を、保持フィルム２０ごと接地部４に接触させた状態で、ソール５に熱を加えることにより、ソール５を接地部４に接着させることができる。
【００６２】
また、図７Ｂに示す例では、保持フィルム２０も接地部４に接着されているが、保持フィルム２０は、必ずしも接地部４に接着されなくてもよい。ソール５が接地部４に接着された後、保持フィルム２０は剥がされてもよい。
【００６３】
本実施形態に係るソール５の装着方法は、上述したものに限られない。例えば、ソール５は、それぞれ独立した陸部を１つずつ接地部４に接着することにより、接地部４に装着されてもよい。この場合、接着剤は、例えば、接地部４の接地域４ｓに塗布されてよい。
【００６４】
上述した第１実施形態及び第２実施形態では、ソール５が接地部４に直接接触するように、競技用義足１に装着される場合について説明した。しかしながら、ソール５は、必ずしも接地部４に直接接触するように、競技用義足１に装着されていなくてもよい。例えば、図８に側面視として示すように、ソール５と接地域４ｓとの間にクッション材３０が介在していてもよい。この場合、ソール５が競技用義足１の接地域４ｓに装着状態において、ソール５が装着される面は、クッション材３０により構成される。
【００６５】
なお、上述したいずれの実施形態においても、ソール底面５ｓのパターンでは、幅方向陸部を区画する、幅方向溝を構成する溝壁及び溝底に、フッ素が塗布されていることが好ましい。幅方向溝の溝壁及び溝底にフッ素が塗布されていることによって、ソール底面５ｓにおける排水性能を高めることができる。
【符号の説明】
【００６６】
１：競技用義足、２：足部、  ２ａ：直線部、  ２ｂ，２ｃ：曲線部、  ３：湾曲部、  ４：接地部、  ４ｓ：接地域、  ５：ソール、  ５ｓ：底面、  ６：爪先側貼付代部、  ７：湾曲部側貼付代部、  ９：貫通孔、  １０，１１，１２，１４：陸部、  １０ａ，１１ａ，１２ａ：幅方向延在部、  １０ｂ，１１ｂ，１２ｂ：爪先側突出部、  １０ｃ，１１ｃ，１２ｃ：湾曲部側突出部、  １３：直線溝、  ２０：保持フィルム、  ３０：クッション材、  Ｂ１，Ｂ２：境界、  ＢＬ：線、  点：Ｃ、  Ｆ：接着面、  Ｌ１：最大長さ、  Ｍ１：中心、  Ｑ１：踵側領域、  Ｓ：路面、  Ｔ：爪先、  Ｗ：幅方向、  Ｘ１，Ｘ２：弧、  Ｙ：足部前後方向、  ｔｈ１，ｔｈ２，ｔｈ３：厚み、  ｗ２，ｗ３，ｗ４：陸部幅
【図１】
2020010998.tif 000003
【図２Ａ】
2020010998.tif 000004
【図２Ｂ】
2020010998.tif 000005
【図２Ｃ】
2020010998.tif 000006
【図２Ｄ】
2020010998.tif 000007
【図３】
2020010998.tif 000008
【図４】
2020010998.tif 000009
【図５Ａ】
2020010998.tif 000010
【図５Ｂ】
2020010998.tif 000011
【図５Ｃ】
2020010998.tif 000012
【図６】
2020010998.tif 000013
【図７Ａ】
2020010998.tif 000014
【図７Ｂ】
2020010998.tif 000015
【図８】
2020010998.tif 000016